(57)【要約】【課題】人体の組成に関する体組成値を携帯端末に容易かつ迅速に取り込むことができるアプリ及び体組成管理システムを提供する。【解決手段】ユーザが操作する携帯端末のコンピュータにインストールされて使用されるアプリであって、コンピュータを、少なくともユーザの年齢と性別と身長とを含むユーザ情報と、体組成計２で計測されるユーザの体重と、体組成計２で計測された電気抵抗値に基づいて算出される少なくとも１つの算出値とを含む計測情報と、を入力する入力部１１と、入力部１１で入力されたユーザ情報と計測情報とに基づいて電気抵抗値を導出し、該電気抵抗値に基づいて、少なくとも入力された算出値とは異なる導出体組成値を導出する処理部３０と、計測情報と導出体組成値の少なくとも１つの値を携帯端末３の画面１２に表示する表示部１３と、を備える管理システムとして機能させるアプリ。【選択図】図８
2018081439.tif 000002
【特許請求の範囲】
【請求項１】
ユーザが操作する携帯端末のコンピュータにインストールされて使用される携帯端末用体組成管理アプリケーションソフトウェアであって、
前記コンピュータを、少なくともユーザの年齢と性別と身長とを含むユーザ情報と、少なくとも体組成計で計測されるユーザの体重と体組成計で計測された電気抵抗値に基づいて算出される少なくとも１つの算出値とを含む計測情報と、を入力する入力部と、該入力部で入力されたユーザ情報と計測情報とに基づいて前記電気抵抗値を導出し、該導出した電気抵抗値に基づいて、少なくとも前記算出値とは異なる導出体組成値を導出する処理部と、前記計測情報と導出体組成値の少なくとも１つの値を前記携帯端末の画面に表示する表示部と、を備える管理システムとして機能させることを特徴とする携帯端末用体組成管理アプリケーションソフトウェア。
【請求項２】
前記表示部は、前記計測情報と導出体組成値の少なくとも１つの値を表示した携帯端末の画面上に起動部を表示可能に構成され、前記管理システムは、前記起動部をユーザが選択操作することにより、前記入力部としての入力画面を起動するよう前記コンピュータを機能させることを特徴とする請求項１に記載の携帯端末用体組成管理アプリケーションソフトウェア。
【請求項３】
ユーザにより設定された体重の測定時間になったことを、少なくとも前記携帯端末の画面に表示してユーザに報知する報知部を備え、該報知部により表示された画面をユーザが選択操作することにより、入力部としての入力画面が起動するように構成されることを特徴とする請求項１又は２に記載の携帯端末用体組成管理アプリケーションソフトウェア。
【請求項４】
前記入力部は、ユーザの目標体重を入力可能に構成され、前記処理部は、前記入力部にて入力された体組成計で計測された体重と目標体重との差である体重差を導出するよう構成され、前記表示部は、前記体重差を前記携帯端末の画面に表示するように構成されていることを特徴とする請求項１〜３のうちのいずれか１項に記載の携帯端末用体組成管理アプリケーションソフトウェア。
【請求項５】
前記管理システムは、前記入力部で入力された計測情報及び導出体組成値のうちの少なくとも１つの値について、該値の推移を時系列的にグラフにするグラフ部を備え、前記表示部は、前記計測情報及び導出体組成値のうちの少なくとも１つの値と前記グラフとを前記携帯端末の画面に表示するように構成されていることを特徴とする請求項１〜４のうちのいずれか１項に記載の携帯端末用体組成管理アプリケーションソフトウェア。
【請求項６】
請求項１〜５の携帯端末用体組成管理アプリケーションソフトウェアがインストールされた携帯端末と、少なくともユーザの体重と、電気抵抗値とを計測可能に構成され、体重と、電気抵抗値に基づいて算出される少なくとも１つの算出値とを含む計測値を表示する計測値表示部を有する体組成計と、を備え、
前記携帯端末は、前記体組成計の計測値表示部に表示された少なくとも１つの計測値を取得するための取得部を備え、前記管理システムの入力部は、前記取得部で取得した計測値を入力情報として入力するように構成されていることを特徴とする体組成管理システム。
【発明の詳細な説明】
【技術分野】
【０００１】
本発明は、人体の組成に関する体組成値を携帯端末で容易に管理できるように携帯端末のコンピュータにインストールされて使用される携帯端末用体組成管理アプリケーションソフトウェア、及び、前記携帯端末用体組成管理アプリケーションソフトウェアをインストールした携帯端末と体組成計とを含む体組成管理システムに関する。
【背景技術】
【０００２】
従来、体重計により日々の体重を測定することによって、健康管理を行っている。近年では、体重だけでなく、人体の電気抵抗値を測定することで、体重以外の人体の組成に関する体組成値、例えば体脂肪率や骨格筋率を推定式から算出し、その推定値を表示可能な体組成計が開発されている。この体組成計で算出した体脂肪率や骨格筋率は、測定しているときにしか確認することができない。そのため、体組成計で測定した体脂肪率などの体組成値についてのデータを携帯端末へ送信して携帯端末で管理することができるシステムが提案されている（例えば特許文献１参照）。
【先行技術文献】
【特許文献】
【０００３】
【特許文献１】特開２０１５−１１９７４５号公報
【発明の概要】
【発明が解決しようとする課題】
【０００４】
上記のように、体組成計と携帯端末との間で通信を行う場合には、体組成計の送信部を送信状態にし、携帯端末の受信部を受信状態にする。このとき、ネットワーク経路で使用される通信の帯域幅や混雑度等により、データの送受信における通信速度が変化したり、機器間同士の認証に時間を要したりする。このような状況では、両者間の通信を良好に行うことができず、通信を行うまでに時間がかかり、通信が途絶えてしまうこともある。その結果、何度も体組成計を送信状態にし、かつ、携帯端末を受信状態にしなければならない手間があるだけでなく、通信が完了するまでの時間が多くかかってしまい、早期改善が望まれている。
【０００５】
本発明が前述の状況に鑑み、解決しようとするところは、人体の組成に関する体組成値を携帯端末に容易かつ迅速に取り込むことができる携帯端末用体組成管理アプリケーションソフトウェア及び体組成管理システムを提供することにある。
【課題を解決するための手段】
【０００６】
本発明の携帯端末用体組成管理アプリケーションソフトウェアは、前述の課題解決のために、ユーザが操作する携帯端末のコンピュータにインストールされて使用される携帯端末用体組成管理アプリケーションソフトウェアであって、前記コンピュータを、少なくともユーザの年齢と性別と身長とを含むユーザ情報と、少なくとも体組成計で計測されるユーザの体重と体組成計で計測された電気抵抗値に基づいて算出される少なくとも１つの算出値とを含む計測情報と、を入力する入力部と、該入力部で入力されたユーザ情報と計測情報とに基づいて前記電気抵抗値を導出し、該導出した電気抵抗値に基づいて、少なくとも入力された前記算出値とは異なる導出体組成値を導出する処理部と、前記計測情報と導出体組成値の少なくとも１つの値を前記携帯端末の画面に表示する表示部と、を備える管理システムとして機能させることを特徴としている。
【０００７】
かかる構成によれば、少なくともユーザの年齢と性別と身長とを含むユーザ情報と、少なくとも体組成計で計測されるユーザの体重と電気抵抗値に基づいて算出される少なくとも１つの算出値とを含む計測情報とを、入力部に入力すると、処理部が、入力されたユーザ情報と計測情報とに基づいて電気抵抗値を導出し、導出した電気抵抗値に基づいて、少なくとも入力された前記算出値とは異なる導出体組成値を導出する。導出されると、表示部が、導出された導出体組成値と前記計測情報の少なくとも1つの値を携帯端末の画面に表示する。これにより、入力部に入力する入力時間と処理部で処理する処理時間のトータル時間は、通信でデータを取り込む場合に必要となる通信時間に比べて非常に短い時間でスムーズに行うことができるため、体重や他の体組成値を携帯端末に容易かつ迅速に取り込むことができる。そして、ユーザは、必要に応じて、携帯端末の画面に計測情報や導出体組成値を表示して確認することができる。
【０００８】
また、本発明の携帯端末用体組成管理アプリケーションソフトウェアは、前記表示部が、前記計測情報と導出体組成値の少なくとも１つの値を表示した携帯端末の画面上に起動部を表示可能に構成され、前記管理システムは、前記起動部をユーザが選択操作することにより、前記入力部としての入力画面を起動するよう前記コンピュータを機能させることが好ましい。
【０００９】
上記構成によれば、計測情報や導出体組成値が表示された携帯端末の画面上に備えた起動部をユーザが選択操作することにより、入力部としての入力画面が携帯端末の画面上で起動するので、計測情報や導出体組成値の入力操作を迅速に行うことができる。
【００１０】
また、本発明の携帯端末用体組成管理アプリケーションソフトウェアは、ユーザにより設定された体重の測定時間になったことを、少なくとも前記携帯端末の画面に表示してユーザに報知する報知部を備え、該報知部により表示された画面をユーザが選択操作することにより、入力部としての入力画面が起動するように構成されることが好ましい。
【００１１】
上記構成によれば、体組成計により計測を行うべき時間になったことを少なくとも画面に表示してユーザに報知するので、ユーザは同じ時間に体組成の測定を行うことができる。また、体組成の測定をし忘れることがなく、体組成のデータを確実に蓄積することができる。また、表示された画面をユーザが選択操作することにより、入力画面が携帯端末の画面上に起動するので、計測情報や導出体組成値の入力を迅速に行える。
【００１２】
また、本発明の携帯端末用体組成管理アプリケーションソフトウェアは、前記入力部は、ユーザの目標体重を入力可能に構成され、前記処理部は、前記入力部にて入力された体組成計で計測された体重と目標体重との差である体重差を導出するよう構成され、前記表示部は、前記体重差を前記携帯端末の画面に表示するように構成されていることが好ましい。
【００１３】
上記構成によれば、体組成計で測定されたユーザの体重とユーザの目標体重とがユーザにより入力されることにより、表示部により測定体重と目標体重との体重差を携帯端末の画面に表示するので、目標体重までの体重差を把握し易く、体重管理がし易くなる。
【００１４】
また、本発明の携帯端末用体組成管理アプリケーションソフトウェアは、前記管理システムが、前記入力部で入力された計測情報及び導出体組成値のうちの少なくとも１つの値について、該値の推移を時系列的にグラフにするグラフ部を備え、前記表示部は、前記計測情報及び導出体組成値のうちの少なくとも１つの値と前記グラフとを前記携帯端末の画面に表示するように構成されていることが好ましい。
【００１５】
上記構成によれば、計測情報及び導出体組成値のうちの少なくとも１つの値の推移を時系列的にグラフにして表示するので、グラフ表示した値の推移を把握し易く、管理をし易い。
【００１６】
また、本発明の体組成管理システムは、請求項１〜５の携帯端末用体組成管理アプリケーションソフトウェアがインストールされた携帯端末と、少なくともユーザの体重と電気抵抗値とを計測可能に構成され、体重と、電気抵抗値に基づいて算出される少なくとも１つの算出値とを含む計測値とを表示する計測値表示部を有する体組成計と、を備え、前記携帯端末は、体重と、前記体組成計の計測値表示部に表示された少なくとも１つの計測値を取得するための取得部を備え、前記管理システムの入力部は、前記取得部で取得した計測値を入力情報として入力するように構成されていることが好ましい。
【００１７】
上記構成によれば、体組成計の計測値表示部に表示された計測値を携帯端末に備える取得部で取得するだけで、携帯端末に取得した計測値を取り込むことができるので、手入力の手間を省くことができる。
【発明の効果】
【００１８】
本発明によれば、ユーザ情報と計測情報とを入力することで導出体組成値が携帯端末に取り込まれるので、体組成計で計測して算出される算出値を通信で携帯端末に取り込む場合に比べて、体組成値を携帯端末に容易かつ迅速に取り込むことができる。
【図面の簡単な説明】
【００１９】
【図１】体組成計の平面図である。
【図２】携帯端末の画面を示し、体重を入力する入力画面である。
【図３】携帯端末の画面を示し、体脂肪率を入力する入力画面である。
【図４】体重と体脂肪率とを入力した後の携帯端末の画面を示す図である。
【図５】図４の画面をスクロールした後の携帯端末の画面を示す図である。
【図６】体重測定時間になったことを知らせる携帯端末の画面を示す図である。
【図７】図６の画面をタッチ操作することにより体重を入力する入力画面に移行した図である。
【図８】体組成管理システムのブロック図である。
【発明を実施するための形態】
【００２０】
本発明の体組成管理システムについて説明する。この体組成管理システム１は、図８に示すように、ユーザの体重と電気抵抗値とを計測可能に構成され、計測された体重と、電気抵抗値に基づいて算出される少なくとも１つの算出値である算出体組成値（ここでは、体脂肪率）うちの少なくとも１つの値を表示する体組成計２と、携帯端末用体組成管理アプリケーションソフトウェアがインストールされた携帯端末３と、を備え、携帯端末用体組成管理アプリケーションソフトウェアが携帯端末３のコンピュータ（ＣＰＵ）４を管理システム５として機能させることで実現できる。
【００２１】
体組成計２は、図1に示すように、コンピュータ（図示せず）を備える平面視において４つの角が取れた略正方形状の体組成計本体６と、体組成計本体６の中央で前方側（図１では上方）に配置した計測値表示部７と、を備えている。計測値表示部７は、体組成計２に両足を載せた状態において足が計測値表示部７の一部を覆うことがないような大きさに設定している。また、体組成計２には、図８に示すように、ユーザの年齢と性別と身長等のユーザ情報を入力して登録しておく登録部８と、体組成計２にユーザが載ることによって、体重と電気抵抗値とを測定する計測部９と、を備えている。そして、体組成計２は、それら体重と電気抵抗値の２つの数値及び登録部８で登録されている年齢と性別と身長を、所定の導出式に当てはめて導出することによって、体重以外の体組成値である体脂肪率（％）、骨格筋率（％）、骨量（ｋｇ）、基礎代謝量（ｋｃａｌ）、内臓脂肪レベルの合計５つの値を導出し、その導出した値及び他の導出式にて導出したＢＭＩ（Ｂｏｄｙ  Ｍａｔｈ  Ｉｎｄｅｘ）を体組成計２の計測値表示部７に表示する。前記所定の導出式は、体脂肪率（％）、骨格筋率（％）、推定骨量（ｋｇ）、基礎代謝量（ｋｃａｌ）、内臓脂肪レベルでそれぞれ異なる。ここでは、体脂肪率（％）、骨格筋率（％）、内臓脂肪レベルとしているが、体脂肪量（ｋｇ）、骨格筋量（ｋｇ）、内臓脂肪量（ｋｇ）であってもよい。また、体組成値としては、上記６つの数値に限定されるものではなく、皮下脂肪率（％）、体水分量（ｋｇ）又は体水分率（％）、体内年齢等の人体の組成に関する各種の値を含めてもよい。ここでは、登録部８で登録する構成のみを示しているが、登録部８で登録しないで計測する都度、年齢と性別と身長を入力する構成であってもよい。また、登録部８に年齢ではなくて生年月日を登録し、体組成計本体６に設定された日時から年齢を算出できるようにしてもよい。
【００２２】
図１の拡大図の体組成計２の計測値表示部７には、性別の男の他、体重６２．２０ｋｇと体脂肪率２５．２％とが上下２段に表示されている。尚、ここでは、体重６２．２０ｋｇは、計測値表示部７の上段に常時表示されている状態で、下段の体組成値が例えば体脂肪率、骨格筋率、推定骨量、基礎代謝量、内臓脂肪レベル、ＢＭＩと順次表示されるようになっているが、このような表示以外であってもよい。本発明では、前記計測値表示部７に表示される２つの値（体重６２．２０ｋｇと体脂肪率２５．２％）をユーザが携帯端末（例えばスマートフォン）３に入力することによって、体重と体脂肪率（算出した算出体組成値）を除く他の体組成値（導出体組成値）である骨格筋率（％）、推定骨量（ｋｇ）、基礎代謝量（ｋｃａｌ）、内臓脂肪レベルを導出する。これは、ユーザが携帯端末３のコンピュータ（図示せず）に携帯端末用アプリケーションソフトウェアをインストールし、コンピュータを体組成管理システムとして機能させることによって実行できる。この場合、体組成計２と同様に、ユーザが携帯端末３のコンピュータに前記ユーザの年齢と性別と身長を後述する管理システム５の登録部１４に予め入力して登録しておくことになるが、登録部１４で登録しないで前記２つの値を入力する都度、年齢と性別と身長を入力する構成であってもよい。
【００２３】
携帯端末用アプリケーションソフトウェア（以下において、アプリという）１０は、図８に示すように、携帯端末３のコンピュータ４を管理システム５として機能させるプログラムである。この管理システム５は、ユーザの年齢と性別と身長とを含むユーザ情報と、体組成計２で計測されるユーザの体重と電気抵抗値に基づいて算出される少なくとも１つの算出値（ここでは体脂肪率）とを含む計測情報と、を入力する入力部１１と、入力部１１で入力されたユーザ情報と計測情報とに基づいて電気抵抗値を導出し、導出した電気抵抗値に基づいて、入力された前記算出値（ここでは体脂肪率）とは異なる導出体組成値を導出する処理部３０と、前記計測情報と導出体組成値のうちの少なくとも１つの値を携帯端末３の画面１２に表示する表示部１３と、を備えている。
【００２４】
入力部１１は、ユーザの年齢と性別と身長を携帯端末３の画面１２に入力することにより登録するための登録部１４と、体組成計２で計測した計測情報（ここでは体重と体脂肪率）を入力するための計測入力部１５と、体重の測定時間になったことを後述する報知部２２によりユーザに報知することができるように体重の測定時間を入力するための報知時間入力部１６と、を備えている。
【００２５】
処理部３０は、前記入力部１１に入力されたユーザ情報（ユーザの年齢と性別と身長）と計測情報（体重６２．２０ｋｇ、体脂肪率２５．２％）とに基づいて電気抵抗値を導出する電気抵抗値導出部１７と、導出した電気抵抗値に基づいて算出値（算出体組成値）とは異なる導出体組成値（ここでは、骨格筋率（％）、推定骨量（ｋｇ）、基礎代謝量（ｋｃａｌ）、内臓脂肪レベル）を導出する導出体組成値導出部１８と、前記入力部１１にて入力された体組成計２で計測された体重とユーザが入力した目標体重との差である体重差を導出する体重差導出部１９と、を備えている。電気抵抗値導出部１７で用いる導出式は、体組成計２に格納されている体脂肪率を導出する導出式を、電気抵抗値を導出するために変形して得られる電気抵抗導出式が用いられる。つまり、体組成計２に格納されている体脂肪率を導出する導出式と、アプリ１０に格納されている電気抵抗値を導出する導出式とが、実質的に同じ式である。
【００２６】
表示部１３は、計測情報及び導出体組成値のうちの少なくとも１つの値と後述するグラフ部２４で作成されたグラフ２３とを携帯端末３の画面１２に表示する体組成表示部２０と、体組成表示部２０で表示された少なくとも１つの値とグラフとが表示された画面１２上に表示する起動部（具体的には図４及び図５に示す起動ボタン）２１と、を備えている。この起動部２１をユーザが選択（タッチ）操作することにより、入力部としての入力画面（図２参照）が携帯端末３の画面上で起動するので、計測情報（ここでは体重と体脂肪率）の入力操作を迅速に行うことができる。また、表示部１３は、体組成計で測定されたユーザの体重とユーザの目標体重とがユーザにより入力されることにより、表示部１３により測定体重と目標体重との体重差を携帯端末３の画面１２に表示するので、目標体重までの体重差を把握し易く、体重管理がし易くなる。前記体重差が表示された画面を、図４に示している。図４では、グラフ２３とＢＭＩの２１．９との間に、測定されたユーザの測定体重６２．２０と、ユーザの目標体重６２．００と、目標体重と測定体重との体重差０．２０と、を表示している。ここでは、測定体重６２．２０を画面の左端部（右端部でもよい）に表示し、目標体重６２．００を右端部（左端部でもよい）に表示し、測定体重６２．２０と目標体重６２．００との間でかつ上方（下方でもよい）にずれた位置に体重差０．２０を表示することによって体重差０．２０が目に飛び込み易いようにしている。
【００２７】
また、管理システム５は、前記報知時間入力部１６で入力された体重の測定時間になったことを、携帯端末３に備えているブザー（図示せず）を鳴らすとともに、携帯端末３の画面１２に表示してユーザに報知する報知部２２を備えている。従って、体組成計２により計測を行うべき時間になったことを、ブザーを鳴らすとともに画面１２に表示してユーザに報知するので、ユーザは同じ時間に体組成の測定を行うことができる。また、体組成の測定をし忘れることがなく、体組成のデータを確実に蓄積することができる。また、表示された画面１２をユーザが選択（タッチ）操作することにより、入力画面が携帯端末３の画面１２上に起動するので、計測情報の入力を迅速に行える。ここでは、ブザーを鳴らしてユーザに報知するようにしているが、ブザーを鳴らさず、携帯端末３の画面１２に表示するだけでユーザに報知するように構成してもよい。
【００２８】
また、管理システム５は、入力部１１で入力された計測情報及び前記導出された導出体組成値のうちの少なくとも１つの値について、該値の推移を時系列的にグラフ２３にするグラフ部２４を備えている。ここでは、計測した体重の値をグラフにしているが、導出体組成値のうちの少なくとも１つの値（全ての値でもよい）の推移を時系列的にグラフにしてもよい。また、値の推移をグラフ２３にして表示することによって、グラフ表示した値の推移を把握し易く、管理をし易い。
【００２９】
上記のように構成された体組成管理システムを使用する場合には、ユーザの年齢と性別と身長とを含むユーザ情報を入力部１１の登録部１４に登録した後、ユーザの体重と電気抵抗値に基づいて算出される少なくとも１つの算出値（ここでは体脂肪率）とを含む計測情報を体組成計２で計測する。計測された体重と算出値（ここでは体脂肪率）とをユーザが計測入力部１５に入力すると、処理部３０が、電気抵抗値導出部１７により電気抵抗値を導出し、導出した電気抵抗値に基づいて、導出体組成値導出部１８が前記算出値（ここでは体脂肪率）とは異なる導出体組成値を導出する。導出されると、表示部１３が、導出された導出体組成値（前記６つの値）と計測情報（ここでは体重と体脂肪率）を携帯端末３の画面１２に表示する。これにより、入力部１１に入力する入力時間と処理部３０で処理する処理時間のトータル時間は、通信でデータを取り込む場合に必要となる通信時間に比べて、非常に短い時間でスムーズに行うことができるため、携帯端末３に体重や他の体組成値を携帯端末３に容易かつ迅速に取り込むことができる。そして、ユーザは、必要に応じて、携帯端末３の画面１２に計測情報や導出体組成値を表示して確認することができる。
【００３０】
前記計測入力部１５に計測情報をユーザが入力する画面を、図２に示している。つまり、前記計測入力部１５である体重を入力する携帯端末３の画面１２を示し、ユーザが画面１２上に表示されているテンキー部２５の数字及び小数点を選択（タッチ）操作することによって、体重の値である６２．２を入力することができる。入力が完了すると、ユーザが画面下に表示されているＯＫボタン２６を選択（タッチ）操作することによって、図３に示す前記計測入力部１５である体脂肪率を入力する画面１２に切り替わる。この場合も、体重を入力する画面と同様に、ユーザが画面１２上に表示されているテンキー部２５の数字及び小数点を選択（タッチ）操作することによって、体脂肪率である２５．２を入力することができる。入力が完了すると、画面１２下に表示されているＯＫボタン２６を選択（タッチ）操作することによって、図４の画面１２に切り替わる。尚、画面をタッチするタッチ操作は、画面に指先を軽く所定時間押し付ける長押し操作の他、画面を軽く叩くように触れてから直ぐに離すタップ操作、画面を軽く押えた状態で画面上をなぞるように動かすスライド操作、画面を指先で軽く押さえ、そのまま画面上をすばやく、かつ、短く動かすスワイプ操作等を含む。
【００３１】
前記のように、図２及び図３で体重と体脂肪率とをユーザが入力した後は、管理システム５の処理部３０によって、前述のように電気抵抗値が導出され、その電気抵抗値に基づいて、導出体組成値である骨格筋率（％）、骨量（ｋｇ）、基礎代謝量（ｋｃａｌ）、内臓脂肪レベルが導出される。これらの値を導出すると、他の導出式で導出されたＢＭＩと共に携帯端末３の画面１２に値を表示する（図４参照）。図４の携帯端末３の画面１２の上部に、体組成計２により測定されて蓄積されている体重の値の推移を時系列的にグラフ２３にし、グラフ２３と前記導出した導出体組成値の一部を表示する。グラフ２３は、横軸に月日を取り、縦軸に体重の値を取っている。また、導出体組成値としては、ＢＭＩの２１．９と体脂肪率２４．９％が表示されている。ユーザが画面１２を上方へスクロールすると、図５に示すように、ＢＭＩ２１．９と体脂肪率２４．９％の他、内臓脂肪レベル９と推定骨量２．２ｋｇと骨格筋率３６．８％と基礎代謝量１４６８ｋｃａｌの全ての導出体組成値が上下（縦）方向に表示される。ここでは、画面１２をスクロールさせる構成としているが、頁毎に画面を分割し、頁毎に表示させるようにしてもよい。ここでは、グラフ２３を先に表示することによって、体重の推移を直ちに把握することができるようにしているが、６つの値を先に表示することもできるし、グラフ２３と６つの値が１つの画面に表示できるようにしてもよい。
【００３２】
また、図５に示す画面において、ＢＭＩの２１．９と体脂肪率２４．９％と骨格筋率３６．８％の直下方に、９段階でレベル表示を行うための９個の点灯部からなる第１表示部２７を備えている。この９個の点灯部のうちの左側３個の点灯部が、低レベル（数値が平均より下回っている領域）を示し、低レベルにおいて３段階の表示を行うことができるようになっている。また、左右方向中央の３個の点灯部が、標準レベル（数値が標準的な領域）を示し、標準レベルにおいて３段階の表示を行うことができるようになっている。また、右側３個の点灯部が、高レベル（数値が平均より上回っている領域）を示し、高レベルにおいて３段階の表示を行うことができるようになっている。従って、点灯している点灯部を確認することによって、数値がどのレベルであるかを容易に把握することができる。図５では、９個の点灯部のうちの左側３個の点灯部を同一色とし、左右方向中央の３個の点灯部を左側とは異なる同一色とし、右側３個の点灯部を左側及び中央の３個の点灯部とは異なる同一色にしているが、９個全ての点灯部を異なる色で構成する、又は同一色で左側から右側へ向かうほど濃い色になるように濃淡を付けた構成にしてもよく、どのような点灯部に構成してもよい。また、内臓脂肪レベル９の直下方に、６段階でレベル表示を行うための６個の点灯部からなる第２表示部２８を備えている。この場合も、点灯している点灯部を確認することによって、数値がどのレベルであるかを容易に把握することができる。また、左側の３個の点灯部を同一色とし、右側の３個の点灯部を左側の３個の点灯部とは異なる色で構成しているが、６個全ての点灯部を異なる色で構成する、又は同一色で左側から右側へ向かうほど濃い色になるように濃淡を付けた構成にしてもよく、どのような点灯部に構成してもよい。
【００３３】
また、携帯端末３には、図８に示すように、体組成計２の計測値表示部７に表示された少なくとも１つの計測値（ここでは体重と体脂肪率の２つの値）を取得するための取得部（実際にはカメラ）２９を備え、前記管理システム５の入力部１１は、取得部２９で計測値表示部７の２つの計測値を撮像して画像処理することにより取得した計測値を入力情報として入力するように構成されている。
【００３４】
上記のように、体組成計２の計測値表示部７に表示された計測値を携帯端末３に備える取得部２９で取得するだけで、携帯端末３に取得した計測値を取り込むことができるので、手入力の手間を省くことができる。
【００３５】
尚、本発明は、前記実施形態に限定されるものではなく、本発明の要旨を逸脱しない範囲で種々の変更が可能である。
【００３６】
例えば、実施形態で導出した基礎代謝量と歩数とに基づいて消費カロリーを求めて、体重管理に役立たせるようにしてもよい。
【００３７】
また、前記実施形態では、携帯端末として、スマートフォンを用いたが、携帯電話、タブレット端末、ノート型パソコン等であってもよい。
【００３８】
また、前記実施形態では、体組成計２で表示される体重と体脂肪率とを入力するようにしたが、体脂肪率に代えて骨格筋率や推定骨量等の他の体組成値を入力するようにしてもよいし、体組成計２に体組成値とは別にアプリ側で電気抵抗値を導出可能な値を表示させるようにして、その値を入力するようにしてもよい。また、計測体組成値を２つ以上入力して、電気抵抗値を導出してもよい。
【００３９】
また、前記実施形態では、携帯端末３の入力画面に備えたテンキー部２５の数字をタッチすることにより体重と体脂肪率とを入力する構成としたが、アップダウンボタンにより体重と体脂肪率とを入力してもよく、体重と体脂肪率とを入力するための具体的構成は、自由に変更できる。
【００４０】
また、前記実施形態では、計測情報（例えば体重）と導出体組成値（例えば体脂肪率）の両方を携帯端末３の画面１２に同時に表示したが、計測情報（例えば体重）又は導出体組成値（例えば体脂肪率）の一方のみを表示する構成であってもよい。この導出体組成値のみを表示する場合には、導出体組成値の一つのみ又は２つ以上の任意の数の導出体組成値を携帯端末３の画面１２に同時に表示してもよい。
【符号の説明】
【００４１】
１…体組成管理システム、２…体組成計、３…携帯端末、４…コンピュータ（ＣＰＵ）、５…管理システム、６…体組成計本体、７…計測値表示部、８…登録部、９…測定部、１０…アプリ、１１…入力部、１２…処理部、１２…画面、１３…表示部、１４…登録部、１５…計測入力部、１６…報知時間入力部、１７…電気抵抗値導出部、１８…導出体組成値導出部、１９…体重差導出部、２０…体組成表示部、２１…起動部、２２…報知部、２３…グラフ、２４…グラフ部、２５…テンキー部、２６…ＯＫボタン、２７…第１表示部、２８…第２表示部、２９…取得部（カメラ）、３０…処理部
【図１】
2018081439.tif 000003
【図２】
2018081439.tif 000004
【図３】
2018081439.tif 000005
【図４】
2018081439.tif 000006
【図５】
2018081439.tif 000007
【図６】
2018081439.tif 000008
【図７】
2018081439.tif 000009
【図８】
2018081439.tif 000010